(57)【要約】【課題】垂直フラップを備えた空気調和装置において、左右方向により広い範囲に送風し、かつ、遠くまで送風できるようにする。【解決手段】室内機１２の吹出口１３に風向を左右方向に変更する板状の垂直フラップ８５を備えた空気調和装置１において、前記垂直フラップ８５が、板面７８の略全域を吹出風の風圧で変形する柔軟性を有するフラップ板７５で形成されている。【選択図】図６
2012032054.tif 000002
【特許請求の範囲】
【請求項１】
室内機の吹出口に風向を左右方向に変更する板状の垂直フラップを備えた空気調和装置において、
前記垂直フラップが、板面略全域を吹出風の風圧で変形する柔軟性を有する柔軟部で形成されていることを特徴とする空気調和装置。
【請求項２】
前記垂直フラップは、上下に延びる回動軸を中心に左右に回動可能であり、前記柔軟部は、前記垂直フラップが左右に回動した状態において吹出風の風圧で変形することを特徴とする請求項１記載の空気調和装置。
【請求項３】
前記垂直フラップは、一端に前記回動軸を有し、他端に設けられた連結部を介して左右に回動操作され、
前記柔軟部は、前記回動軸と前記連結部との間の略全域に設けられていることを特徴とする請求項２記載の空気調和装置。
【請求項４】
前記連結部は前記回動軸と略平行に延びる連結軸により構成され、該連結軸と前記回動軸との間に前記柔軟部が掛け渡されていることを特徴とする請求項３記載の空気調和装置。
【請求項５】
前記垂直フラップは、左右にスライドするスライド部材に複数枚が連結され、前記スライド部材のスライドに連動して回動することを特徴とする請求項１から４のいずれかに記載の空気調和装置。
【請求項６】
幅方向に広く送風する旨の指示を受けた場合に、前記垂直フラップを幅方向の外側に傾斜させるとともに、前記室内機の送風ファンの風量を増加させる制御部を備えたことを特徴とする請求項１から５のいずれかに記載の空気調和装置。
【発明の詳細な説明】
【技術分野】
【０００１】
本発明は、室内機の吹出口に、風向を左右方向に変更する垂直フラップを備えた空気調和装置に関する。
【背景技術】
【０００２】
従来、室内機の吹出口に垂直方向に延びる平板状の垂直フラップを複数設け、この垂直フラップを左右方向に傾斜させることで、吹出口から吹き出される空気の角度を左右方向に変更する空気調和装置が知られている（例えば、特許文献１参照）。
【先行技術文献】
【特許文献】
【０００３】
【特許文献１】特開平１０−２５３１３６号公報
【発明の概要】
【発明が解決しようとする課題】
【０００４】
ところで、空気調和装置では、部屋をより均一に空調したい場合等において、空気を左右方向に大きく広げて送風したいという要望がある。しかし、上記従来の構成では、平板状の上記垂直フラップを左右方向に傾けて風向きを変更するため、空気が垂直フラップの近傍を通過する際に通風抵抗が生じる。通風抵抗は、特に、垂直フラップを大きく傾斜させるほど大きくなるため、左右方向により広い範囲に送風し、かつ、遠くまで送風することは困難である。
本発明は、上述した事情に鑑みてなされたものであり、垂直フラップを備えた空気調和装置において、左右方向により広い範囲に送風し、かつ、遠くまで送風できるようにすることを目的とする。
【課題を解決するための手段】
【０００５】
上記目的を達成するため、本発明は、室内機の吹出口に風向を左右方向に変更する板状の垂直フラップを備えた空気調和装置において、前記垂直フラップが、板面略全域を吹出風の風圧で変形する柔軟性を有する柔軟部で形成されていることを特徴とする。
また、上記構成において、前記垂直フラップは、上下に延びる回動軸を中心に左右に回動可能であり、前記柔軟部は、前記垂直フラップが左右に回動した状態において吹出風の風圧で変形する構成としても良い。
【０００６】
また、前記垂直フラップは、一端に前記回動軸を有し、他端に設けられた連結部を介して左右に回動操作され、前記柔軟部は、前記回動軸と前記連結部との間の略全域に設けられていても良い。
さらに、前記連結部は前記回動軸と略平行に延びる連結軸により構成され、該連結軸と前記回動軸との間に前記柔軟部が掛け渡されていても良い。
【０００７】
また、前記垂直フラップは、左右にスライドするスライド部材に複数枚が連結され、前記スライド部材のスライドに連動して回動する構成としても良い。
また、幅方向に広く送風する旨の指示を受けた場合に、前記垂直フラップを幅方向の外側に傾斜させるとともに、前記室内機の送風ファンの風量を増加させる制御部を備えても良い。
【発明の効果】
【０００８】
本発明によれば、垂直フラップを備えた空気調和装置において、左右方向により広い範囲に送風でき、かつ、遠くまで送風できる。
【図面の簡単な説明】
【０００９】
【図１】本発明を適用した第１の実施の形態に係る空気調和装置の室内機の断面図である。
【図２】室内機の分解斜視図である。
【図３】室内機を下方から見た斜視図である。
【図４】垂直フラップの１枚の近傍の構成を示す斜視図である。
【図５】垂直フラップが前方に送風する状態を示す模式的な平面図である。
【図６】垂直フラップが左右に送風する状態を示す模式的な平面図である。
【図７】第２の実施の形態における垂直フラップの１枚の近傍の構成を示す斜視図である。
【図８】第３の実施の形態における垂直フラップの１枚の近傍の構成を示す斜視図である。
【発明を実施するための形態】
【００１０】
以下、図面を参照して本発明の実施形態について説明する。
［第１の実施の形態］
図１は本発明を適用した第１の実施の形態に係る空気調和装置の室内機の断面図であり、図２は室内機の分解斜視図である。図３は、室内機を下方から見た斜視図である。
【００１１】
空気調和装置１は、空調される室内の壁Ｗに取り付けられる壁掛け型の室内機１２と、室内機１２に冷媒配管を介して接続される室外機（不図示）とを有している。
図１及び図２に示すように、室内機１２は、断面略Ｃ字状に形成されたフィンアンドチューブ型の室内熱交換器２９をフレーム３に配設し、この室内熱交換器２９の内側に送風ファン３１を配置して構成され、室内熱交換器２９にはグリル１０が被せられる。フレーム３は樹脂成形により断面略Ｌ字状に形成された部材であり、室内熱交換器２９から流下するドレン水を受けるドレンパン３４、及び、送風ファン３１を収容するスクロール部３２を備え、フレーム３の背面には、据付板５０の係止爪５１を受ける凹部が形成されている。このフレーム３及びグリル１０によって室内機１２の筐体が構成される。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはキャップ１４により塞がれている。
【００１２】
送風ファン３１はいわゆるクロスフローファンで構成され、フレーム３に設けられた舌部４８とスクロール部３２との間に収められ、円筒状に延びる送風ファン３１の両端が、ベアリング４３を有する軸受け部４４と、軸受け部４５とを介してフレーム３により支持される。
送風ファン３１の一端にはファンモーター４６が連結され、ファンモーター４６が、軸受け４７を介してフレーム３に取り付けられている。より詳細に説明すると、送風ファン３１の一端には、ファンモーター４６の出力軸が挿入される穴４１が設けられ、この穴４１に挿入されたファンモーター４６の出力軸は、送風ファン３１の側面から螺入されるセットスクリュー４２によって、送風ファン３１に固定される。また、ファンモーター４６の側方には、制御部５８等を収容する電装ボックス５５が配置される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１３】
グリル１０には、上面吸込口１１Ａ及び前面吸込口１１Ｂが室内機１２の幅方向に延びて開口し、前面吸込口１１Ｂを覆うように前面パネル１６が取り付けられる。
図１及び図３に示すように、室内機１２の下面には、前面パネル１６の下縁に連続し壁Ｗ側に向けて下方に傾斜する吹き出し面３５と、吹き出し面３５から壁Ｗ側に略水平に延びる下端面３７とが形成されている。吹き出し面３５には、送風ファン３１からの送風を吹き出す吹出口１３が設けられており、吹出口１３は、板状のフラップ６０、６０によって開閉自在に塞がれている。なお、図３においては理解の便宜のためにフラップ６０の図示を省略している。
【００１４】
送風ファン３１は、上面吸込口１１Ａ及び前面吸込口１１Ｂから室内熱交換器２９を介して室内空気を吸い込み、室内熱交換器２９において熱交換された空気を、吹出口１３から被調和室内に吹き出す。送風ファン３１と吹出口１３との間には送風ファン３１からの送風を吹出口１３に導くガイド室３６が設けられている。ガイド室３６の上面は、室内機１２の前面側の下方に向かって傾斜したドレンパン３４の下部によって形成され、ガイド室３６の下部は、室内機１２の前面側の下方に向かって傾斜したスクロール部３２の下部によって形成されている。吹出口１３から吹き出される空気は、ガイド室３６によってガイドされて、室内機１２の前面側の斜め前下方に向かって流れる。
また、送風ファン３１は、回転数を高、中、低の３段階に切り替え可能に構成されており、回転数が高くなるほど送風ファン３１の吐出風量が大きくなる。すなわち、送風ファン３１の回転数に応じて、風量の設定が強、中、弱に変更される。
【００１５】
フラップ６０、６０は、吹出口１３から吹き出される送風の風向きを上下に変更する２枚の横羽根である。各フラップ６０は、室内機１２の幅方向に延びる板状に形成されるとともに、フラップ６０の長手方向に延びるフラップ軸６１を有している。各フラップ６０は、フラップ軸６１を中心として上下に回動する。２枚のフラップ６０、６０は、室内機１２のフラップ駆動モーター６３によって連動して駆動され、互いに略平行な位置関係を保つようにして吹出口１３を開閉するとともに、吹出口１３から吹き出される風向きを上下方向において変更する。
【００１６】
また、スクロール部３２の出口側には、風向きを左右方向に変更する縦羽根としての垂直フラップ８５が複数並べて配置されている。垂直フラップ８５は、複数枚（本実施形態では８枚）が一組となって左右に分割して設けられ、吹出口１３の幅方向において中央よりも左側に設けられる左側フラップ７１と、中央よりも右側に設けられる右側フラップ７２とを有している。左側フラップ７１及び右側フラップ７２の各々は、上下に設けられるスライド板７３Ａ、７３Ｂ（スライド部材）によって一組に連結され、フラップ６０、６０よりも上流側に配置されている。垂直フラップ８５は、スライド板７３Ａ、７３Ｂを介して垂直フラップ駆動モーター（不図示）に連結され、この垂直フラップ駆動モーターの動作またはユーザーの手によるスライド板７３Ａ、７３Ｂの操作に応じて、左右に向きを変更される。
詳細には、室内機１２にはリモートコントローラー（不図示）が設けられており、ユーザーは、このリモートコントローラーの操作によって垂直フラップ８５の向きを所望の向きに調整できる。
【００１７】
図４は、垂直フラップ８５の一枚の近傍の構成を示す斜視図である。ここで、図４では、右側フラップ７２を図示しているが、右側フラップ７２及び左側フラップ７１は左右対称に形成されているため、左側フラップ７１の詳しい説明は省略する。
図１及び図４に示すように、１枚の垂直フラップ体８５Ａは、柔軟性を有するエラストマーで構成されたフラップ板７５と、フラップ板７５の一端７５Ａに設けられた回動軸７６と、フラップ板７５の他端７５Ｂに設けられた連結軸７７（連結部）とを備えて構成されている。右側フラップ７２及び左側フラップ７１は、８枚の垂直フラップ体８５Ａがスライド板７３Ａ、７３Ｂを介して連結されてそれぞれ構成されている。ここで、エラストマーは樹脂及びゴムのいずれであっても良い。
【００１８】
回動軸７６は、吹出口１３内において送風ファン３１に近い上流側で上下に延在し、上端はフレーム３の舌部４８に連結され、下端はスクロール部３２に連結され、フラップ板７５を、回動軸７６を中心として回動可能に支持している。
連結軸７７は、回動軸７６よりも下流側で回動軸７６と略平行に延在し、上端部及び下端部には、スライド板７３Ａ、７３Ｂが連結軸７７を中心に回動可能に連結されている。連結軸７７の上端部及び下端部には、スライド板７３Ａの下面及びスライド板７３Ｂの上面に当接して連結軸７７をスライド板７３Ａ、７３Ｂ間に位置決めするフランジ部７７Ａがそれぞれ設けられている。
【００１９】
フラップ板７５は、矩形の板状に形成され、回動軸７６と連結軸７７との間に掛け渡されており、垂直フラップ体８５Ａにおける回動軸７６及び連結軸７７以外の部分、すなわち垂直フラップ体８５Ａの板面７８の略全域は、柔軟部としてのフラップ板７５によって構成されている。
フラップ板７５は柔軟性を有するエラストマーで構成されており伸縮自在であるため、フラップ板７５が伸びることで回動軸７６と連結軸７７との間の距離は可変であるとともに、フラップ板７５の板面７８を押す成分を有する風圧等の外力が作用した場合には、フラップ板７５は、この外力によって変形する。また、フラップ板７５のエラストマーは、室内機１２の冷房運転及び暖房運転における吹出風の温度域内で、柔軟性が維持される特性を有するものが用いられる。
【００２０】
図２及び図４に示すように、スライド板７３Ａ、７３Ｂは、互いに平行に設けられ、垂直フラップ体８５Ａの並びに沿って吹出口１３の幅方向（左右方向）に延びる板であり、上下のスライド板７３Ａ、７３Ｂの間には、連結軸７７を介して各フラップ板７５が設けられている。
スライド板７３Ａ、７３Ｂは、制御部５８により制御される垂直フラップ駆動モーター（不図示）の駆動によって、図４の矢印Ｍで示すように、回動軸７６の軸方向に略直交する左右方向にスライドされ、このスライド動作に伴って各連結軸７７が左右に移動し、垂直フラップ体８５Ａは回動軸７６を回動中心として左右に回動する。スライド板７３Ａ、７３Ｂは、室内機１２の前後方向には移動しないように位置決めされており、左右方向のみに移動する。
【００２１】
図５は、垂直フラップ８５が室内機１２の前方に送風する状態を示す模式的な平面図である。ここで、図５には、ガイド室３６を流れて垂直フラップ８５に流入する気流Ｘ１の方向、及び、垂直フラップ８５を通って吹き出される気流Ｙ１の方向を矢印で示している。また、図５では、スライド板７３Ａの図示を省略している。
図５に示すように、各垂直フラップ体８５Ａは、互いに平行に、かつ、略等間隔を開けて吹出口１３（図３参照）の幅方向に並べて配置され、各連結軸７７がスライド板７３Ａ、７３Ｂに連結されている。右側フラップ７２及び左側フラップ７１の各８枚の垂直フラップ体８５Ａは、スライド板７３Ａ、７３Ｂが左右にスライドされることによって一度に角度を変更されるとともに、略同一の角度にそれぞれ変更される。
【００２２】
気流Ｘ１の風向きを左右に変更せずに吹出口１３から室内機１２の前方に真直ぐ送風する場合は、各垂直フラップ体８５Ａは気流Ｘ１の流れる方向に略平行な角度、すなわち吹出口１３の幅方向に略直交する角度に向けられる。
図５に示す状態では、送風ファン３１から吹き出された気流Ｘ１は、気流Ｘ１に略平行なフラップ板７５の板面７８に沿って垂直フラップ８５を通過し、前方に流れる気流Ｙ１となり、その後、フラップ６０、６０を通って吹き出される。この際、気流Ｘ１はフラップ板７５に対して略平行に流れるだけであり、送風ファン３１の風量の大きさにかかわらず、フラップ板７５の板面７８は気流Ｘ１の風圧によってほとんど変形されない。
【００２３】
図６は、垂直フラップ８５が左右に送風する状態を示す模式的な平面図である。ここで、図６（ａ）は送風ファン３１の風量が弱の状態を示し、図６（ｂ）は風量が強の状態を示している。
また、図６（ａ）及び図６（ｂ）では、ガイド室３６を流れて垂直フラップ８５に流入する気流Ｘ２、Ｘ３の方向、及び、垂直フラップ８５を通って吹き出される気流Ｙ２、Ｙ３の方向を矢印で示しており、これら矢印の長さは、風量の大きさに対応している。
【００２４】
図６（ａ）に示すように、スライド板７３Ａ、７３Ｂが吹出口１３の幅方向の外側にスライドされることで、各垂直フラップ体８５Ａは各回動軸７６を中心に回動されて傾斜させられ、吹出口１３の幅方向の外側を指向する。すなわち、右側フラップ７２では、各垂直フラップ体８５Ａは前方の右方向を指向し、左側フラップ７１では、各垂直フラップ体８５Ａは前方の左方向を指向する。
また、各垂直フラップ体８５Ａが傾斜した状態では回動軸７６と連結軸７７との距離が増加するため、フラップ板７５は伸長した状態にある。
【００２５】
垂直フラップ８５が左右の外側に傾斜した状態において送風ファン３１の風量が弱の場合、図６（ａ）に示すように、垂直フラップ８５に流入する気流Ｘ２は、フラップ板７５の板面７８に当たり、傾斜した板面７８に沿って流れることで送風方向が前方方向から角度Ａに変更され、左右の外側方向に吹き出される。この場合、送風ファン３１の風量が弱であり、板面７８は風圧によってほとんど変形されることなく、平らな板形状を維持している。このため、気流Ｘ２は板面７８に当たる際に比較的急激に方向を変更されることになり、通風抵抗は大きくなる。
【００２６】
垂直フラップ８５が左右の外側に傾斜した状態において送風ファン３１の風量が強の場合、図６（ｂ）に示すように、垂直フラップ８５に流入する気流Ｘ３は、フラップ板７５の傾斜した板面７８に当たり、板面７８は風圧によって凹曲面形状に湾曲する。そして、気流Ｘ３は凹曲面形状の板面７８に沿って流れることで滑らかに送風方向が変更され、気流Ｙ３として左右の外側方向に吹き出される。この場合、送風方向は、前方方向から角度Ｂに変更され、この角度Ｂは角度Ａよりも大きい。
【００２７】
詳細には、各垂直フラップ体８５Ａは、両端の回動軸７６及び連結軸７７以外の板面７８の略全域が、回動軸７６と連結軸７７との間に掛け渡されたフラップ板７５により構成されているため、各垂直フラップ体８５Ａは略全域が風圧によって滑らかな形状に変形させられる。気流Ｘ３は、風圧によって押し退けるようにして板面７８を凹曲面形状に変形させ、この凹曲面の形状は、フラップ板７５の弾性力と風圧とが釣り合うようにして決まり、気流Ｘ３が通り易い形状に自然に調整される。
さらに、フラップ板７５は、図６（ｂ）のように凹曲面形状に変形することで、図６（ａ）に示した変形しない場合に比して、より傾斜角が幅方向の外側に大きくなり、この結果、送風方向は、角度Ａよりも大きい角度Ｂになる。
【００２８】
すなわち、各フラップ板７５は、風圧によって凹曲面形状に変形することで、通風抵抗が小さくなるとともに、傾斜角が幅方向の外側に大きくなる。これにより、垂直フラップ８５によって幅方向により広い範囲に送風できるとともに、垂直フラップ８５で風向きを変更する際の通風抵抗を低減でき、より遠くまで送風することができる。このように、各フラップ板７５が凹曲面形状に変形することで、垂直フラップ８５での送風の角度変更の大きさが大きくなったとしても通風抵抗が増大しないため、これまで平板状のフラップでは送風できなかった大きい角度まで送風を行うことができる。
また、第１の実施の形態では、右側フラップ７２及び左側フラップ７１が吹出口１３の左右に独立して配置され、左右に独立して風向きを外側に変更できるため、広い範囲に送風することができる。
また、図示は省略しているが、図６（ａ）の状態で送風ファン３１の風量が中の場合、各垂直フラップ体８５Ａは略全域が風圧によって凹曲面形状に変形させられる。この場合、フラップ板７５の変形量は、風量が強の場合よりも小さく、フラップ板７５の傾斜角は風量が強の場合よりも小さくなるため、送風方向の角度は、角度Ｂと角度Ａとの間の大きさになる。
【００２９】
制御部５８は、幅方向に広く送風する旨の指示を受けた場合に、垂直フラップ駆動モーター（不図示）を駆動して右側フラップ７２及び左側フラップ７１を幅方向の外側に傾斜させるとともに、送風ファン３１の風量を強にする。これにより、右側フラップ７２及び左側フラップ７１の各フラップ板７５は図６（ｂ）のように風圧によって凹曲面形状に変形されるため、幅方向により広い範囲に送風できるとともに、通風抵抗を低減でき、より遠くまで送風することができる。その後、制御部５８は、室内の温度が目標値に達したことを検知すると、送風ファン３１の風量を低下させるとともに、右側フラップ７２及び左側フラップ７１の向きを幅方向の内側方向へ戻す。
ここで、幅方向に広く送風する旨の指示は、室内の広い範囲に調和空気を行き渡らせたい場合等に出される指示であり、例えば、室内機１２の運転開始時に制御部５８が自ら判断して指示しても良く、或いは、ユーザーのリモートコントローラー（不図示）の操作による指示であっても良い。
【００３０】
また、風向きを任意の方向に変更したい場合には、垂直フラップ８５の向きを見て調整するのではなく、ユーザーが風を受けながらリモートコントローラーによって垂直フラップ８５の向きを変更することで風向きを調整できる。すなわち、風を受けながら風向きを調整することで、曲面状に変形する垂直フラップ８５であっても任意の方向に風向きを調整できる。
【００３１】
以上説明したように、本第１の実施の形態によれば、垂直フラップ８５の板面７８の略全域に設けられた柔軟部としてのフラップ板７５が吹出風の風圧で変形し、風圧の状態に応じてその形状が風の流れに沿うように滑らかに凹曲面形状に変形するため、送風の方向は左右にさらに広がるとともに通風抵抗が小さくなる。これにより、垂直フラップ８５によって左右方向により広い範囲に送風できるとともに、かつ、遠くまで送風できる。
また、回動軸７６を中心に左右に回動した状態の垂直フラップ８５のフラップ板７５が、風の流れに沿うように滑らかに凹曲面形状に変形するため、より広い範囲に送風できるとともに、垂直フラップ８５で風向きを変更する際の通風抵抗を低減でき、より遠くまで送風することができる。
【００３２】
また、一端７５Ａと他端７５Ｂとの間の略全域に設けられたフラップ板７５が、風の流れに沿うように滑らかに凹曲面形状に変形するため、より広い範囲に送風できるとともに、垂直フラップ８５で風向きを変更する際の通風抵抗を低減でき、より遠くまで送風することができる。
さらに、一端７５Ａの回動軸７６と他端７５Ｂの連結軸７７との間に掛け渡されたフラップ板７５が、風の流れに沿うように滑らかに凹曲面形状にするため、より広い範囲に送風できるとともに、垂直フラップ８５で風向きを変更する際の通風抵抗を低減でき、より遠くまで送風することができる。
【００３３】
さらにまた、左右にスライドするスライド板７３Ａ、７３Ｂに連動させて複数枚の各垂直フラップ体８５Ａを回動させることができ、風向きを変更できる。
また、制御部５８が、幅方向に広く送風する旨の指示を受けた場合に、垂直フラップ８５を幅方向の外側に傾斜させるとともに、室内機１２の送風ファン３１の風量を増加させるため、右側フラップ７２及び左側フラップ７１の各フラップ板７５は、風圧によって凹曲面形状に変形される。このため、幅方向により広い範囲に送風できるとともに、通風抵抗を低減でき、より遠くまで送風することができる。
【００３４】
なお、上記第１の実施の形態は本発明を適用した一態様を示すものであって、本発明はこれに限定されない。上記実施形態においては、壁掛け型の空気調和装置１の室内機１２に本発明を適用した例について説明したが、本発明はこれに限らず、天井埋込型空気調和装置や、天井吊下型空気調和装置等の他の形態の空気調和装置にも適用可能である。
【００３５】
［第２の実施の形態］
以下、図７を参照して、本発明を適用した第２の実施の形態について説明する。この第２の実施の形態において、上記第１の実施の形態と同様に構成される部分については、同符号を付して説明を省略する。
第２の実施の形態では、垂直フラップ１８５を回動させるスライド板１７３（スライド部材）の構造が第１の実施の形態のスライド板７３Ａ、７３Ｂと異なっている。
【００３６】
図７は、第２の実施の形態における垂直フラップ１８５の１枚の近傍の構成を示す斜視図である。
垂直フラップ１８５の各垂直フラップ体１８５Ａは、回動軸７６、連結軸７７、及び、回動軸７６と連結軸７７との間に掛け渡される柔軟なフラップ板１７５（柔軟部）をそれぞれ有し、各フラップ板１７５には、スライド板１７３が通る開口１７５Ｃが形成されている。
スライド板１７３は、その板面を上下に貫通する筒状の連結筒１７３Ａを有し、連結軸７７は、連結筒１７３Ａの内径部に嵌合した状態でスライド板１７３に連結されている。スライド板１７３は１本で設けられ、連結軸７７の上下の中間部に回動自在に連結されている。スライド板１７３を左右にスライドさせることで、各垂直フラップ体１８５Ａの方向が変更される。
このように、フラップ板１７５に開口１７５Ｃを設け、開口１７５Ｃを通る１本のスライド板１７３で各垂直フラップ体１８５Ａを連結することで、スライド板１７３の数量を削減でき、構造を簡単にすることができる。
【００３７】
［第３の実施の形態］
以下、図８を参照して、本発明を適用した第３の実施の形態について説明する。この第３の実施の形態において、上記第１の実施の形態と同様に構成される部分については、同符号を付して説明を省略する。
第３の実施の形態では、柔軟性を有するフラップ板２７５（柔軟部）が、枠状のフレーム板２００に設けられている点が上記第１の実施の形態と異なっている。
【００３８】
図８は、第３の実施の形態における垂直フラップ２８５の１枚の近傍の構成を示す斜視図である。
図８に示すように、垂直フラップ２８５の各垂直フラップ体２８５Ａは、矩形の枠状のフレーム板２００と、フレーム板２００の開口２００Ａの全域に掛け渡されたフラップ板２７５と、各垂直フラップ体２８５Ａの回動中心となる回動軸２７６と、スライド板７３Ａ、７３Ｂに連結される連結軸２７７とを有している。
【００３９】
回動軸２７６は、フレーム板２００の上縁及び下縁において長手方向の中間部に設けられ、各垂直フラップ体２８５Ａを吹出口１３に回動自在に固定する。
連結軸２７７は、他端７５Ｂに設けられ、フランジ部７７Ａを介してスライド板７３Ａ、７３Ｂに連結されている。このように、枠状のフレーム板２００の板面２７８の略全域にフラップ板２７５を設けても良く、この場合、フレーム板２００は風圧によってほとんど変形されず、フラップ板２７５は風圧を受けて凹曲面形状に変形するため、送風は幅方向により広い範囲に届くとともに、通風抵抗の低減によって、より遠くまで到達する。
【符号の説明】
【００４０】
１  空気調和装置
１２  室内機
１３  吹出口
３１  送風ファン
５８  制御部
７３Ａ、７３Ｂ、１７３  スライド板（スライド部材）
７５、１７５、２７５  フラップ板（柔軟部）
７５Ａ  一端
７５Ｂ  他端
７６、２７６  回動軸
７７、２７７  連結軸（連結部）
７８、２７８  板面
８５、１８５、２８５  垂直フラップ
【図１】
2012032054.tif 000003
【図２】
2012032054.tif 000004
【図３】
2012032054.tif 000005
【図４】
2012032054.tif 000006
【図５】
2012032054.tif 000007
【図６】
2012032054.tif 000008
【図７】
2012032054.tif 000009
【図８】
2012032054.tif 000010